(57)【要約】  【課題】  電池ケースと正極リード板とをクラッド板を介して固着する際にクラッド板の表裏を間違うことがないようにした電池を提供する。  【解決手段】  発電要素を収容した第１金属製の電池ケースと、発電要素から電流を取り出す第２金属製の電流取出用リード板とを備え、第１金属と溶接可能な金属の第１層１２１ａが電池ケースに溶接され、第２金属と溶接可能な金属の第２層１２１ｂが正極リード板に溶接されるクラッド板１２１により電池ケースに正極リード板を固着した電池であり、クラッド板１２１の平面形状が線対称ではないように構成することにより、その表裏で異なる形状に見えるようにする。【選択図】        図１
2005293919.tif 000002
【特許請求の範囲】
【請求項１】
発電要素を収容した第１金属製の電池ケースと、前記発電要素から電流を取り出す第２金属製の電流取出用リード板とを備え、第１層が前記電池ケースに固着され、第２層が前記電流取出用リード板に固着されたクラッド板により前記電池ケースに前記電流取出用リード板を固着した電池において、
前記クラッド板は、前記第１層が前記電池ケースに固着された場合に外面となる第２層側の表面の外形と、前記第２層が前記電池ケースに固着された場合に外面となる第１層側の表面の外形とが平面上で回転させても一致しない形状に構成されていることを特徴とする電池。
【請求項２】
発電要素を収容した第１金属製の電池ケースと、前記発電要素から電流を取り出す第２金属製の電流取出用リード板と、第１層が前記電池ケースに固着され、第２層が前記電流取出用リード板に固着されることにより、前記電池ケースに前記電流取出用リード板を固着するためのクラッド板とを備えた電池の前記クラッド板を帯状の母材を連続的に切断して製造する方法において、
個々のクラッド板の一方の側の表面の外形と、他方の側の表面の外形とが平面上で回転させても一致しない形状になるような切断線で前記母材を幅方向に横断して切断することを特徴とする電池に使用されるクラッド板の製造方法。
【請求項３】
電池と共に電池パックの外装ケースに収容される電池パック部品に備えられており、表裏面間を電流が通電する板状の電子部品の表裏面それぞれに取り付けられる電池パック部品のリード板において、
前記電子部品に取り付けられた場合の前記電子部品に対向する側の表面の外形と、前記電子部品に対向しない側の表面の外形とが平面上で回転させても一致せず、且つ点対称に構成されていることを特徴とする電池パック部品のリード板。
【請求項４】
表裏面間を電流が通電する板状の電子部品の表裏それぞれにリード板が取り付けられ、電池と共に電池パックの外装ケースに収容される電池パック部品において、
前記リード板は、前記電子部品に取り付けられた場合の前記電子部品に対向する側の表面の外形と、前記電子部品に対向しない側の表面の外形とが平面上で回転させても一致せず、且つ点対称に構成されており、
前記電子部品の表裏それぞれに前記リード板が、前記一方の面同士、又は前記他方の面同士を対向させて線対称に取り付けられていること
を特徴とする電池パック部品。
【請求項５】
表裏面間を電流が通電する板状の電子部品の表裏それぞれにリード板が取り付けられ、電池と共に電池パックの外装ケースに収容される電池パック部品の前記リード板を帯状の母材を連続的に切断して製造する方法において、
個々のリード板の一方の側の表面の外形と他方の側の表面の外形とが平面上では一致せず、且つ点対称となる形状になるような切断線で前記母材を幅方向に横断して切断することを特徴とする電池パック部品のリード板の製造方法。
【請求項６】
表裏面間を電流が通電する板状の電子部品の表裏それぞれにリード板が取り付けられ、電池と共に電池パックの外装ケースに収容される電池パック部品において、
前記電子部品の表裏面それぞれにリード板が取り付けられた場合の平面形状の外形が線対称であり、且つ点対称ではないことにより、表裏面の外形が異なる形状を呈し、且つ平面上で回転させた場合に表面の外形形状と裏面の外形形状とが一致するように構成されていることを特徴とする電池パック部品。
【発明の詳細な説明】
【技術分野】
【０００１】
本発明は、ビデオカメラ，モバイルコンピュータ，携帯電話機等の主として携帯電子機器の電源として利用される充放電可能な非水電解質二次電池、具体的にはリチウムイオン二次電池等の電池に関し、またそのような電池と共に外装ケースに収容されて電池パックを構成する電池パック部品に関する。より詳細には本発明は、電池ケースに電流取出用リード板を固着するためにクラッド板を使用する電池及びそのようなクラッド板の製造方法に関し、更に電子部品の表裏それぞれにリード板が取り付けられた電池パック部品及びそのようなリード板の製造方法に関する。
【背景技術】
【０００２】
近年、急速に普及しているビデオカメラ，モバイルコンピュータ，携帯電話機等の携帯電子機器の電源としては充放電可能な非水電解質二次電池、たとえばリチウムイオン二次電池等が主として使用されている。
【０００３】
リチウムイオン二次電池（以下、単に電池という）では、過充電及び過放電を防止するために外部に電池電圧を制御するための保護回路が設けられており、これらの全てを絶縁性のたとえば合成樹脂製の外装ケースに収容した状態の電池パックとして電子機器に実際に装着される構成が採られている。ところで、保護回路と電池との間は接続用のリード板により電気的に接続されるが、このリード板としては保護回路との電気的接続性は勿論のこと、外装ケース内での電池のサイズを可及的に大きくするために、換言すれば電池のサイズに対して外装ケースを可及的に小さくするためにニッケル材又は表面にニッケルめっきされたステンレス材等が板材の形状で使用される。
【０００４】
図１５に従来の電池パックの一般的な構成例の模式的分解斜視図を示す。電池パックは、直方体状の電池ケース１１をそれよりも一回り大きい合成樹脂製の直方体状の外装ケース３０に収容したものである。なお、外装ケース３０は共に一側面が開放された直方体状の第１外装ケース半体３１と第２外装ケース半体３２とで構成されている。両外装ケース半体３２及び３２は開放された一側面の外形寸法が同一に形成されており、開放された一側面同士を対向させて合体させた状態でその内部に電池ケース１１及びその他の回路等を収容可能な空洞が形成されるようになっている。
【０００５】
電池ケース１１はアルミニウム又はアルミニウム合金製であり、その内部には正極及び負極をセパレータを介して巻回した発電要素からなる非水電解質二次電池、具体的にはたとえばリチウムイオン二次電池等の二次電池１０が収容されている。電池ケース１１の一側面（図１５では底面）には、電池ケース１１とは絶縁された負極端子３３が形成されており、この負極端子３３が設けられた部分以外の電池ケース全体が正極端子になる。
【０００６】
電池ケース１１の上述した負極端子３３が設けられている一側面に対向する側面（図１５では上面）には保護回路基板３４が取り付けられる。保護回路基板３４は、電池１０の過充電又は過放電等を防止するための保護回路が設けられた基板である。保護回路基板３４は、電池ケース１１と対向する面（図１５では下面）に回路素子（図示せず）が実装されており、反対側、即ち電池ケース１１に対して外側の面（図１５では上面）に、外部へ電力を取り出し、また逆に充電のために外部から電力を取り込むための正負極の電極端子３４ａが突設されている。また、第１外装ケース半体３１の一側面（図１５では上面）には、保護回路基板３４の出力端子３４ａが貫通して先端部が若干突出するようにした貫通孔３１ａが形成されている。
【０００７】
保護回路基板３４は、ニッケル製の正極リード板２０を介して、電池１０の正極端子を兼ねる電池ケース１１に固着されたクラッド板１２に固着される。クラッド板１２は、その一方の面が電池ケース１１の保護回路基板３４が取り付けられる側面に溶接により固着されており、他方の面は正極リード板２０に溶接により固着されている。従って、正極リード板２０はクラッド板１２を介して電池ケース１１に固着されていることになる。
【０００８】
更に、保護回路基板３４は、ニッケル製の負極リード板２２及びＰＴＣ（Positive Temerature Coefficient)素子２８を介して電池１０の負極端子３３とも接続されている。ＰＴＣ素子２８は、電池１０の温度が異常上昇したような場合に温度に感応して高抵抗となることにより、回路を遮断する保護素子である。
【０００９】
負極リード板２２は電池ケース１１の負極端子３３が備えられている側面（図１５では底面）と保護回路基板３４が備えられている側面（図１５では上面）の間を接続するために両側面間の一側面（図１５では右側面）に沿って設けられている。但し、電池ケース１１は負極端子３３以外の全体が正極端子を兼ねているので、短絡防止のために負極リード板２２及びＰＴＣ素子２８と電池ケース１１との間には絶縁シート１６が介装されている。
【００１０】
保護回路基板３４が接続された電池ケース１１は、保護回路基板３４及び貫通孔３１ａの向きを合わせて両外装ケース半体３１，３２を合体させた場合に形成される空洞内に両面粘着テープ３５で固定されて収容される。そして、両外装ケース半体３１，３２同士が接着、熱溶着、又は超音波溶着等で固着されて１個の箱状の容器にされることにより、外装ケース３０の貫通孔３１ａに電極端子３４ａが突出した電池パックが構成される。通常、商品としてはこの電池パックの状態で流通し、また種々の電子機器にもこのような電池パックの状態で装着される。
【００１１】
ところで、ニッケル製の正極リード板２０は、負極端子３３が形成されている部分以外は全て正極端子を兼ねる電池ケース１１にクラッド板１２を介して固着されているが、クラッド板１２を介する理由は以下による。即ち、電池ケース１１に正極リード板２０を溶接により直接固着することは、電池ケース１１がアルミニウム又はアルミニウム合金製であるので抵抗溶接法では電池ケース１１の導電性が良好であることに起因して、また超音波溶接法では正極リード板２０がニッケル製（又はステンレス製）であるので溶解しないことに起因して、いずれも不可能であるという理由による。
【００１２】
このような事情から、従来は上述のようなクラッド板１２を使用せずに電池ケース１１に正極リード板２０を固着するためにはたとえばレーザ溶接法が検討されていた。しかし、レーザ溶接法を使用する場合には、使用環境条件が著しく規制されると共に、装置が高価であり、しかも生産性が低いために電池（電池パック）の製造コストの高騰を招来するという問題があった。
【００１３】
このような問題点を解決することを目的として上述したような従来技術、即ち電池ケース１１に２層構造のクラッド板１２のアルミニウム又はアルミニウム合金製の一方の層を抵抗溶接し、クラッド板のニッケル製の他方の層をニッケル製の正極リード板２０と抵抗溶接する発明が特許文献１に開示されている。
【００１４】
図１６は図１５に示されているクラッド板１２の構成例を示す模式図である。図１６（ａ）はクラッド板１２の平面形状を示す模式図であり、電池ケース１１の保護回路基板３４が取り付けられる一側面（図１５では上面）の幅よりは狭い幅の矩形の板状の外形を有している。また図１６（ｂ）はクラッド板１２の側面を示す模式図である。クラッド板１２は上述したような２層構成であり、一方の層１２ａの表面が電池ケース１１に溶接され、他方の層１２ｂの表面が正極リード板２０に溶接されることにより、電池ケース１１に正極リード板２０が固着される。
【特許文献１】特開平０９−３３０６９６号公報
【発明の開示】
【発明が解決しようとする課題】
【００１５】
上述した特許文献１に開示されている発明のクラッド板は、いずれか一方の層を電池ケースに抵抗溶接し、他方の層を正極リード板と抵抗溶接するのであるが、当然のことながら逆にはできない。このため、電池パックの組み立てに際してはクラッド板の表裏を間違わないようにする必要があるが、従来は表裏両面の金属光沢の相異を作業員が目視で識別していたため、電池の組立工程において誤判定が生じる可能性があった。
【００１６】
ところで、上述のような電池パックには他にも表裏の識別が要求される構成要素が存在する。それはポリスイッチ等の電子部品に複数のリード板が取り付けられた構成の部品であり、表裏判定を誤って製造した場合には不良品となってしまう。図１７はそのようなポリスイッチに複数のリード板が取り付けられた電池パック部品の構成例及び表裏判定が必要な理由を説明するための模式図である。
【００１７】
図１７（ａ）はポリスイッチに複数のリード板が取り付けられた電池パック部品の構成を示す模式的側面図である。ポリスイッチ５１は板状の形状であり、その両面にそれぞれリード板６１，６２が取り付けられることにより、一つの電池パック部品５０を構成している。そしてこのように組み立てられた電池パック部品の一方のリード板６２が更に他のリード板６３に接続される。この図１７（ａ）に示されているように電池パック部品５０が正常にリード板６３に接続された状態では、リード板６３，同６２，ポリスイッチ５１，リード板６１の順（又は逆順）の回路が構成され、ポリスイッチ５１に電流が流れることになる。
【００１８】
しかし、電池パック部品５０の表裏が逆の状態でリード板６３を接続する装置に送られた場合、図１７（ｂ）に示すように、本来はリード板６２及びポリスイッチ５１を介してリード板６３と間接的に接続されるべきリード板６１がリード板６３に直接接続されるので、ポリスイッチ５１には電流が流れなくなる。
【００１９】
更に上述のような電池パック部品５０に使用されるリード板６１，６２には他の問題もある。図１８はリード板そのものに存在する問題点を説明するための模式的側断面図である。リード板は通常、母材である金属板６０から型を使用した打ち抜き加工により製造される。打ち抜き加工では、図１８に示す矢符方向に母材である金属板６０を打ち抜いた場合にはリード板の面に対して周縁部にほぼ直交方向に突出した「ばり」が形成される。この「ばり」が突出した面が絶縁テープで覆われるようにして電池パックを組み立てると、「ばり」が絶縁テープを突き破って絶縁不良が発生する等の問題も生じる。また帯状の母材を切断する場合にもその切断面に「ばり」が発生することはいうまでもない。
【００２０】
本発明はこのような事情に鑑みてなされたものであり、電池ケースと正極リード板とをクラッド板を介して固着する際にクラッド板の表裏を間違うことがないようにした電池の提供を目的とする。
【００２１】
また本発明は上述のような電池に使用されるクラッド材の製造方法を提供することを目的とする。
【００２２】
更に本発明は、リード板が取り付けられていて表裏を判定する必要がある場合に、容易に表裏を判定することが可能な、またリード板の「ばり」が絶縁不良等の原因とならないようにした電池パック部品及びそのリード板の提供を目的とする。
【００２３】
また更に本発明は上述のような電池パック部品のリード板の製造方法の提供を目的とする。
【課題を解決するための手段】
【００２４】
本発明は端的には、電池ケースに正極リード板を溶接により固着するために両者間に介装される接続部材であるクラッド板の平面形状を表裏が異なる形状を呈し、しかも平面上で回転させても一致しないように構成する。また、電池パック部品に取り付けられるリード板の平面形状を、電子部品に取り付けられた場合の電子部品に対向する側の表面の外形と、電子部品に対向しない側の表面の外形とが平面上で回転させても一致せず、且つ点対称となる形状とする。更にリード板が表裏両面に取り付けられた電池パック部品の平面形状の外形を線対称であり、且つ点対称ではない形状に構成する。
【００２５】
本発明に係る電池の発明は、発電要素を収容した第１金属製の電池ケースと、前記発電要素から電流を取り出す第２金属製の電流取出用リード板とを備え、第１層が前記電池ケースに固着され、第２層が前記電流取出用リード板に固着されたクラッド板により前記電池ケースに前記電流取出用リード板を固着した電池において、前記クラッド板は、前記第１層が前記電池ケースに固着された場合に外面となる第２層側の表面の外形と、前記第２層が前記電池ケースに固着された場合に外面となる第１層側の表面の外形とが平面上で回転させても一致しない形状に構成されていることを特徴とする。
【００２６】
このような本発明に係る電池の発明では、クラッド板が表裏逆転している場合には、平面状で回転させても、表裏が逆転していない場合の形状と一致しない。
【００２７】
また本発明に係る電池に使用されるクラッド板の製造方法は、発電要素を収容した第１金属製の電池ケースと、前記発電要素から電流を取り出す第２金属製の電流取出用リード板と、第１層が前記電池ケースに固着され、第２層が前記電流取出用リード板に固着されることにより、前記電池ケースに前記電流取出用リード板を固着するためのクラッド板とを備えた電池の前記クラッド板を帯状の母材を連続的に切断して製造する方法において、個々のクラッド板の一方の側の表面の外形と、他方の側の表面の外形とが平面上で回転させても一致しない形状になるような切断線で前記母材を幅方向に横断して切断することを特徴とする。
【００２８】
このような本発明に係る電池に使用されるクラッド板の製造方法では、上述のクラッド板が、一つの切断線で帯状の母材から切断されるのみにて製造される。
【００２９】
また、本発明に係る電池パック部品のリード板は、電池と共に電池パックの外装ケースに収容される電池パック部品に備えられており、表裏面間を電流が通電する板状の電子部品の表裏面それぞれに取り付けられる電池パック部品のリード板において、前記電子部品に取り付けられた場合の前記電子部品に対向する側の表面の外形と、前記電子部品に対向しない側の表面の外形とが平面上回転させても一致せず、且つ点対称に構成されていることを特徴とする。
【００３０】
このような本発明の電池パック部品のリード板では、平面上で１８０度回転させると同一形状を呈するが、表裏逆転している場合には、平面状で回転させても、表裏が逆転していない場合の形状と一致しない。
【００３１】
更に本発明に係る電池パック部品の第１の発明は、表裏面間を電流が通電する板状の電子部品の表裏それぞれにリード板が取り付けられ、電池と共に電池パックの外装ケースに収容される電池パック部品において、前記リード板は、前記電子部品に取り付けられた場合の前記電子部品に対向する側の表面の外形と、前記電子部品に対向しない側の表面の外形とが平面上で回転させても一致せず、且つ点対称に構成されており、前記電子部品の表裏それぞれに前記リード板が、前記一方の面同士、又は前記他方の面同士を対向させて線対称に取り付けられていることを特徴とする。
【００３２】
また、本発明に係る電池パック部品の第２の発明は、表裏面間を電流が通電する板状の電子部品の表裏それぞれにリード板が取り付けられ、電池と共に電池パックの外装ケースに収容される電池パック部品において、前記電子部品の表裏面それぞれにリード板が取り付けられた場合の平面形状の外形が線対称であり、且つ点対称ではないことにより、表裏面の外形が異なる形状を呈し、且つ平面上で回転させた場合に表面の外形形状と裏面の外形形状とが一致するように構成されていることを特徴とする。
【００３３】
このような本発明に係る電池パック部品の第１，第２の発明では、電子部品の表裏面それぞれにリード板が取り付けられた場合の平面形状の外形が線対称であり、且つ点対称ではないので、表裏が反転している場合には異なる形状を呈するが、表裏が反転している状態のままで１８０度回転した場合には表裏が反転していない場合と同一形状を呈する。
【００３４】
更に本発明に係る電池パック部品のリード板の製造方法は、表裏面間を電流が通電する板状の電子部品の表裏それぞれにリード板が取り付けられ、電池と共に電池パックの外装ケースに収容される電池パック部品の前記リード板を帯状の母材を連続的に切断して製造する方法において、個々のリード板の一方の側の表面の外形と他方の側の表面の外形とが平面上では一致せず、且つ点対称となる形状になるような切断線で前記母材を幅方向に横断して切断することを特徴とする。
【００３５】
このような本発明に係る電池パック部品のリード板の製造方法では、前述の本発明のリード板が一つの切断線で帯状の母材から切断されるのみにて製造される。
【発明の効果】
【００３６】
本発明に係る電池の発明によれば、いずれの面が上を向いているかによってクラッド板が異なる平面形状に見えるので、表裏を誤判定する可能性がなくなり、生産効率の向上が期待される。
【００３７】
また本発明に係る電池に使用されるクラッド板の製造方法によれば、個々のクラッド板は一つの切断線で帯状の母材から切断されるのみにて製造されるので、帯状の母材から個々のクラッド板を切断して得る際にいわゆる切り屑が発生しない。従って、クラッド材の切り屑が電池の組立工程に紛れ込んで電気的な短絡等が発生する虞がなくなり、不良品が発生する可能性が低減する。
【００３８】
また本発明に係る電池パック部品のリード板によれば、表裏が反転している場合には異なる形状を呈するので表裏判定が容易であり、しかも１８０度回転している場合には同一形状を呈するので電池パック部品への取り付けの際の方向を揃える必要が無いので作業効率が向上する。
【００３９】
本発明に係る電池パック部品の第１の発明によれば、いずれの面が上を向いているかによってリード板が異なる平面形状に見えるので、表裏を誤判定する可能性がなくなり、生産効率の向上が期待される。しかも、電池パック部品としての全体の形状も表裏それぞれの面が異なる外形に見えるようになると共に、対称中心点を回転中心として回転させることにより表裏を反転させた場合と同様の結果が得られるので、表裏の判定が容易であり、表裏反転していることが判明した場合にも再度表裏反転指せる必要はなく、平面上で１８０度回転させるのみにて、正常な状態に戻すことができる。従って、治具への電池パック部品の正常な状態での装着が容易になる。
【００４０】
更に本発明に係る電池パック部品のリード板の製造方法によれば、個々のリード板は一つの切断線で帯状の母材から切断されるのみにて製造されるので、帯状の母材から個々のリード板を切断して得る際にいわゆる切り屑が発生しない。従って、リード材の切り屑が電池の組立工程に紛れ込んで電気的な短絡等が発生する虞がなくなり、不良品が発生する可能性が低減する。
【００４１】
また、本発明に係る電池パック部品の第２の発明によれば、表裏が反転している場合には電子部品から突出している部分のリード板の外形が異なる形状を呈するので表裏判定が容易であり、且つ表裏が反転している状態のままで１８０度回転した場合には表裏が反転していない場合と同一形状を呈するので、表裏を再度反転させることなく平面上で１８０度回転させるのみにて表裏が反転していない状態に戻すことができるので作業効率が向上する。
【発明を実施するための最良の形態】
【００４２】
以下、本発明をその実施の形態を示す図面を参照して説明する。なお、電池パック全体の構成は図１５に示した従来例と同一である。本発明の電池の構成が図１５に示した従来例と異なる点は以下に説明するクラッド板の平面形状のみである。従って、以下においては主としてクラッド板の平面形状について説明する。
【００４３】
図１は本発明に係る電池に使用されるクラッド板の構成の一例を示す模式図である。なお、この例ではクラッド板を参照符号１２１で示す。図１（ａ）はクラッド板１２１の平面形状を示す模式図であり、電池ケース１１の保護回路基板３４が取り付けられる一側面（図１５では上面）の幅よりは狭い幅の平面視で矩形の一隅部を斜めに切り落とした５角形の板状の外形を有している。この図１（ａ）に示されているクラッド板１２１の平面形状は、その長さ方向及び幅方向のいずれに関しても線対称にはなっていない。従って、クラッド板１２１はその表裏で異なる形状を呈すると共に、表裏逆転した状態で平面上で回転させても表裏逆転していない状態の形状と同一の形状を呈することはあり得ない。
【００４４】
また、図１（ｂ）はクラッド板１２１の側面を示す模式図である。クラッド板１２１は２層構成であり、一方の層１２１ａの表面が電池ケース１１に溶接され、他方の層１２１ｂの表面が正極リード板２０に溶接されることにより、電池ケース１１に正極リード板２０が固着されることは前述の図１６に示した従来例と同様である。
【００４５】
図２は図１に示すクラッド板１２１を電池ケース１１に固着した状態を示す模式的外観斜視図である。図２（ａ）に示されている状態がクラッド板１２１が正常に電池ケース１１に溶接された（又は、溶接するために載置されている）状態であるとすると、クラッド板１２１が表裏逆に電池ケース１１上に溶接された（又は溶接するために載置されている）場合には図２（ｂ）の模式的外観斜視図に示すように、図２（ａ）に示した正常な状態に比してクラッド板１２１の平面形状が明らかに相異するので、表裏の判定が容易になる。
【００４６】
図３は本発明に係る電池に使用されるクラッド板の構成の他の例を示す模式図である。なお、この例ではクラッド板を参照符号１２２で示す。図３（ａ）はクラッド板１２２の平面形状を示す模式図であり、電池ケース１１の保護回路基板３４が取り付けられる一側面（図１５では上面）の幅よりは狭い幅の平面視で平行四辺形の板状の外形を有している。この図３（ａ）に示されているクラッド板１２２の平面形状は、その長さ方向及び幅方向のいずれに関しても線対称にはなっていない。従って、クラッド板１２２はその表裏で異なる形状を呈すると共に、表裏逆転した状態で平面上で回転させても表裏逆転していない状態の形状と同一の形状を呈することはあり得ない。
【００４７】
また、図３（ｂ）はクラッド板１２２の側面を示す模式図である。クラッド板１２２は２層構成であり、一方の層１２２ａの表面が電池ケース１１に溶接され、他方の層１２２ｂの表面が正極リード板２０に溶接されることにより、電池ケース１１に正極リード板２０が固着されることは前述の図１６に示した従来例及び図１に示した本発明の一例と同様である。
【００４８】
図４は図３に示すクラッド板１２２を電池ケース１１に固着した状態を示す模式的外観斜視図である。図４（ａ）に示されている状態がクラッド板１２２が正常に電池ケース１１に溶接された（又は、溶接するために載置されている）状態であるとすると、クラッド板１２２が表裏逆に電池ケース１１上に溶接された（又は溶接するために載置されている）場合には図４（ｂ）の模式的外観斜視図に示すように、図４（ａ）に示した正常な状態に比してクラッド板１２２の平面形状が明らかに相異するので、表裏の判定が容易になる。
【００４９】
図５は本発明に係る電池に使用されるクラッド板の構成の更に他の例を示す模式図である。なお、この例ではクラッド板を参照符号１２３で示す。図５（ａ）はクラッド板１２３の平面形状を示す模式図であり、電池ケース１１の保護回路基板３４が取り付けられる一側面（図１５では上面）の幅よりは狭い幅の平面視で不等脚台形の板状の外形を有している。この図５（ａ）に示されているクラッド板１２３の平面形状は、その長さ方向及び幅方向のいずれに関しても線対称にはなっていない。従って、クラッド板１２３はその表裏で異なる形状を呈すると共に、表裏逆転した状態で平面上で回転させても表裏逆転していない状態の形状と同一の形状を呈することはあり得ない。
【００５０】
また、図５（ｂ）はクラッド板１２３の側面を示す模式図である。クラッド板１２３は２層構成であり、一方の層１２３ａの表面が電池ケース１１に溶接され、他方の層１２３ｂの表面が正極リード板２０に溶接されることにより、電池ケース１１に正極リード板２０が固着されることは前述の図１６に示した従来例及び図１、図３に示した本発明の例と同様である。
【００５１】
図６は図５に示すクラッド板１２３を電池ケース１１に固着した状態を示す模式的外観斜視図である。図６（ａ）に示されている状態がクラッド板１２３が正常に電池ケース１１に溶接された（又は、溶接するために載置されている）状態であるとすると、クラッド板１２３が表裏逆に電池ケース１１上に溶接された（又は溶接するために載置されている）場合には図６（ｂ）の模式的外観斜視図に示すように、図６（ａ）に示した正常な状態に比してクラッド板１２３の平面形状が明らかに相異するので、表裏の判定が容易になる。
【００５２】
図７は本発明に係る電池に使用されるクラッド板の構成の更に他の例を示す模式図である。なお、この例ではクラッド板を参照符号１２４で示す。図７（ａ）はクラッド板１２４の平面形状を示す模式図であり、電池ケース１１の保護回路基板３４が取り付けられる一側面（図１５では上面）の幅よりは狭い幅の平面視で矩形の対向する２隅部を矩形状に切り取った板状の外形を有している。この図７（ａ）に示されているクラッド板１２４の平面形状は、その長さ方向及び幅方向のいずれに関しても線対称にはなっていない。従って、クラッド板１２４はその表裏で異なる形状を呈すると共に、表裏逆転した状態で平面上で回転させても表裏逆転していない状態の形状と同一の形状を呈することはあり得ない。
【００５３】
また、図７（ｂ）はクラッド板１２４の側面を示す模式図である。クラッド板１２４は２層構成であり、一方の層１２４ａの表面が電池ケース１１に溶接され、他方の層１２４ｂの表面が正極リード板２０に溶接されることにより、電池ケース１１に正極リード板２０が固着されることは前述の図１６に示した従来例及び図１、図３、図５に示した本発明の例と同様である。
【００５４】
図８は図７に示すクラッド板１２４を電池ケース１１に固着した状態を示す模式的外観斜視図である。図８（ａ）に示されている状態がクラッド板１２４が正常に電池ケース１１に溶接された（又は、溶接するために載置されている）状態であるとすると、クラッド板１２４が表裏逆に電池ケース１１上に溶接された（又は溶接するために載置されている）場合には図８（ｂ）の模式的外観斜視図に示すように、図８（ａ）に示した正常な状態に比してクラッド板１２４の平面形状が明らかに相異するので、表裏の判定が容易になる。
【００５５】
ところで、上述の各例の内の図３及び図４、図５及び図６、図７及び図８にそれぞれ示したクラッド板１２２、１２３、１２４に関しては、フープ(hoop)状、即ち帯状の母材からいわゆる切り屑が生じないようにして製造することが可能である。以下、具体的に説明する。
【００５６】
図９は本発明に係る電池に使用されるクラッド板の製造方法を説明するための模式図である。図９（ａ）は前述の図３及び図４に示したクラッド板１２２の製造方法を説明するための模式図である。クラッド材を所定の幅でフープ状にした母材１２０を、図９（ａ）に破線にて示すような母材１２０の長さ方向と斜めに交差する方向の所定間隔で平行な複数の切断線１２２ｃで母材１２０を横断して切断する。これにより、図３（ａ）にその平行四辺形の平面形状を示したクラッド板１２２がいわゆる切り屑を生じさせることなしに個々の切断された個片として得られる。
【００５７】
図９（ｂ）は前述の図５及び図６に示したクラッド板１２３の製造方法を説明するための模式図である。クラッド材を所定の幅でフープ状にした母材１２０を、図９（ｂ）に破線にて示すような母材１２０の長さ方向と比較的大なる角度で斜めに交差する方向の所定間隔で平行な複数の切断線１２３ｃａと、この切断線１２３ｃａよりはやや小なる角度で母材１２０の長さ方向と比較的大なる角度で斜めに交差する方向の所定間隔で平行な複数の切断線１２３ｃｂとで交互に切断する。これにより、図５（ａ）にその不等脚台形の平面形状を示したクラッド板１２３がいわゆる切り屑を生じさせることなしに個々の切断された個片として得られる。
【００５８】
図９（ｃ）は前述の図７及び図８に示したクラッド板１２４の製造方法を説明するための模式図である。クラッド材を所定の幅でフープ状にした母材１２０を、図９（ｃ）に破線にて示すような母材１２０の幅方向の中心線の一部の両端から幅方向の両外側へ垂線を下ろした形状の所定間隔の複数の切断線１２４ｃで母材１２０を横断して切断する。これにより、図７（ａ）にその平面形状を示したクラッド板１２４がいわゆる切り屑を生じさせることなしに個々の切断された個片として得られる。
【００５９】
なお、クラッド板の平面形状としては上述しような形状に限らず、線対称ではない形状であれば、種々の形状が可能であることはいうまでもない。
【００６０】
次に本発明の電池パック部品について、主としてそれに取り付けられるリード板の平面形状及びそれが両面に取り付けられた場合の電池パック部品全体の形状について説明する。
【００６１】
なお、本発明の電池パック部品においては、それに取り付けられるリード板が従来は主として金属板の母材から打ち抜き加工により得られるため一方の面に「ばり」が突出しており、この「ばり」がリード板が取り付けられた電池パック部品が電池パックに組み込まれた後に絶縁テープ等を突き破って絶縁不良を生じるという問題を解決するために、リード板そのものの表裏判定が容易であること、更には電池パック部品の本体の表裏にリード板が取り付けられた状態で電池パック部品の全体としての表裏判定が容易であることを目的としている。
【００６２】
図１０（ａ）は本発明のリード板の平面形状の一例を示す模式図である。このリード板６１は線対称ではないが点対称の形状に平面形状の外形が形成されており、金属板の母材から打ち抜き加工により得られる。従って、このようなリード板６１の一方の面には「背景技術」の項において説明した如く「ばり」が形成されている。以下においてはリード板６１の「バリ」が形成されている面を裏面、「ばり」が形成されていない面を表面という。
【００６３】
図１０（ｂ）は図１０（ａ）に示したリード板６１を表裏反転した状態を示す模式図である。このリード板６１は線対称ではない外形の平面形状を有するように構成されているので、このように表面（「ばり」が突出していない面）と裏面（「ばり」が突出している面）とでは、平面上ではどのような操作をしても、たとえば平面上で１８０°回転させたとしても、図１０（ａ）に示す表面の形状と一致することはない明らかに異なる形状を呈する。
【００６４】
従って、この図１０に示したような線対称ではない外形の平面形状を有するリード板６１を電池パック部品の本体であるポリスイッチ５１の表裏にそれぞれ取り付ける際には表裏を判定することが容易である。しかも、図１０に示すリード板６１はその平面形状の外形が点対称に構成されているので、図１０（ａ）に示す状態を平面上で１８０度回転させた場合には同一の形状を呈することになる。従って、リード板６１をたとえばポリスイッチ５１に取り付ける際には１８０度回転している状態であってもよいので、作業効率が向上する。
【００６５】
なお、万一、リード板６１，６２のいずれかの表裏を間違ってポリスイッチ５１に取り付けてしまった場合にも、容易に判定可能である。即ち、図１１（ａ），（ｂ）は図１０に示した形状のリード板６１と、これと同一形状であるリード板６２とを電池パック部品の本体であるポリスイッチ５１の表裏にそれぞれ取り付けた本発明の電池パック部品５０の外観を示す模式的斜視図である。但し、図１１（ａ），（ｂ）においては、リード板６１，６２は共に裏側（「ばり」が突出している面）をポリスイッチ５１に面して、換言すれば両リード板６１は相互に裏面を対向させた状態でポリスイッチ５１に取り付けられており、この状態が正しい状態である。
【００６６】
この図１１（ｂ）に示す電池パック部品５０の平面形状は、リード板６１（６２）が線対称ではないが点対称である外形形状を有しているので、全体としては中心線ＣＬに対して線対称となる。
【００６７】
しかし、たとえばポリスイッチ５１の裏面側のリード板６２の表裏を間違ってしまった場合、図１１（ｃ），（ｄ）に示すように、リード板６１（６２）が左右に延長された状態の平面形状を呈することになるので、電池パック部品５０全体としての平面形状が線対称ではない（但し、点対称にはなる）形状を呈する。従って、電池パック部品５０の全体としての形状が図１１（ｂ）に示す正常な状態とは明らかに異なる形状を呈するので、容易に判定可能になる。
【００６８】
このように、ポリスイッチ５１の表面に取り付けられているリード板６１はバリが突出している面をポリスイッチ５１側に面して（図上で奥側にして）ポリスイッチ５１に取り付けられており、ポリスイッチ５１の裏面に取り付けられているリード板６２もバリが突出している面をポリスイッチ５１側に面して（図上で手前側にして）ポリスイッチ５１に取り付けられている。従って、このような本発明の電池パック部品５０が従来例と同様の電池１０と共に外装ケース３０に収容された場合には両リード板６１，６２の「ばり」がポリスイッチ５１を挟んで内側をむいているので、絶縁テープ等を突き破る虞はなく、絶縁不良の原因となることを防止することが可能である。
【００６９】
次に、図１０にその外形形状が示されているリード板６１（６２）を例に、そのようなリード板６１（６２）が相互に裏面を対向させてポリスイッチ５１に取り付けられた状態の電池パック部品５０の表裏判定の容易性について説明する。
【００７０】
図１２は図１１（ａ）に示す構成の本発明の電池パック部品の表裏判定の容易性及び表裏反転している場合に元の状態に戻すことが容易であることを説明するための模式図である。具体的には、図１２（ａ）は図１１（ｂ）と同様の図であり、本発明の電池パック部品５０の正常な状態、即ちポリスイッチ５１の両面にリード板６１及び６２がそれぞれの裏面（「ばり」が突出している面）を対向させて取り付けられている状態を示す模式的平面図である。この場合、両リード板６１，６２そのものは線対称ではない（但し、点対称ではある）同一の形状であるが、ポリスイッチ５１の中心線（ＣＬ）を対称中心として線対称になるようにポリスイッチ５１に取り付けられているので、電池パック部品５０全体としては線対称であるが点対称ではない外形形状を呈する。
【００７１】
ところで、図１２（ａ）に示す状態が本発明の電池パック部品５０が組立工程の治具に装着される正常な状態であるとすると、この電池パック部品５０そのものが表裏逆に治具に装着された場合には図１２（ｂ）に示すような状態で治具に装着されることになる。この場合、両リード板６１，６２それぞれの端部の形状が正常な状態である図１２（ａ）とは明らかに異なる形状を呈するため、作業員の目視でも、またたとえば光学センサ等による自動判定でも、電池パック部品５０の表裏を容易に判定することが可能である。
【００７２】
しかも、上述の図１２（ｂ）に示した例では、電池パック部品５０を正常な状態に戻すためには電池パック部品５０そのものの表裏を反転させて、即ち裏返しにして図１１（ａ）に示す状態にする作業が不要である。具体的には、図１２（ｂ）に示されている、正常な状態とは表裏逆の状態の電池パック部品５０をたとえば１８０°回転させたとすると図１２（ｃ）に示すような状態になる。
【００７３】
即ち、両リード板６１，６２の形状が点対称であるので、その点対称の中心点（線対称の中心線上にある）を回転中心として１８０度回転させれば図１２（ｂ）に示す状態から図１２（ｃ）に示す状態になり、これは正常な状態である図１２（ａ）に示す状態と同一の外形形状である。従って、ポリスイッチ５１の表裏両面に取り付けられるリード板が線対称ではないが点対称の外形形状に構成されている場合には、図１２（ａ），（ｂ），（ｃ）に示すように、電池パック部品５０の表裏が逆である場合にも、電池パック部品５０を表裏反転させる（裏返す）ことなしに、平面上で単に１８０度回転させれば正常な状態に戻せることになり、作業員の人手による場合であっても、また機械的な操作による場合であっても、電池パック部品５０の表裏を反転させる（裏返しにする）場合に比して容易な作業であることは明らかである。
【００７４】
なお、リード板６１（６２）の平面形状としては前述した図１０に示されているような形状に限らず、線対称ではなくしかも点対称であれば、種々の形状が可能であることはいうまでもない。
【００７５】
たとえば、前述の本発明のクラッド板の形状の内の図３（ａ）及び図７（ａ）に示した外形の平面形状等であってもよい。このような図３（ａ）及び図７（ａ）に示したクラッド板と同様の形状のリード板は、従来同様に金属板の打ち抜き加工により製造することも勿論可能であるが、前述したクラッド板と同様にそれぞれ図９（ａ）及び（ｃ）に示した方法と同様にして母材であるフープ状（帯状）の金属板を適宜の間隔で連続的に切断して製造することも可能である。
【００７６】
図１３（ａ）及び（ｂ）は上述した図３（ａ），図７（ａ）に示したクラッド板の形状と同一の外形の平面形状を有するように構成したリード板６１１，６２１及び６１２，６２２をポリスイッチ５１の両面に取り付けた電池パック部品５０の構成例を示す模式的斜視図である。また、図１４は図１３（ｂ）に示す構成の電池パック部品５０の表裏判定の容易性及び表裏反転している場合に元の状態に戻すことが容易であることを説明するための模式的斜視図である。
【００７７】
図１４に示す例においても、前述の図１２に示した例と同様にポリスイッチ５１の一面（表面）にリード板６１２が、他面（裏面）にリード板６２２がそれぞれ取り付けられているが、両リード板６１２，６２２は共に線対称ではないが点対称である外形の平面形状を有する同一の平面形状に構成されており、しかもポリスイッチ５１の中心線（ＣＬ）を対称中心として線対称になるようにポリスイッチ５１の表裏面にそれぞれ取り付けられている。
【００７８】
そして、ポリスイッチ５１の表面に取り付けられているリード板６１２はバリが突出している面をポリスイッチ５１側に面して（図上で奥側にして）ポリスイッチ５１に取り付けられており、ポリスイッチ５１の裏面に取り付けられているリード板６２２もバリが突出している面をポリスイッチ５１側に面して（図上で手前側にして）ポリスイッチ５１に取り付けられていることも前述の図１２に示した例と同様である。従って、このような本発明の電池パック部品５０が従来例と同様の電池１０と共に外装ケース３０に収容された場合に、両リード板６１２，６２２の「ばり」が絶縁テープ等を突き破る虞はないので、絶縁不良の原因となることを防止することが可能であることも前述同様である。
【００７９】
ところで、図１４（ａ）に示す状態が本発明の電池パック部品５０が組立工程の治具に装着される正常な状態であるとすると、この電池パック部品が表裏逆に治具に装着された場合には図１４（ｂ）に示すような状態で治具に装着されることになる。この場合、両リード板６１２，６２２それぞれの端部の形状が正常な状態である図１４（ａ）とは明らかに異なる形状を呈するため、作業員の目視でも、またたとえば光学センサによる判定でも、容易に表裏が逆であることが判定可能であることも前述同様である。
【００８０】
しかし、この図１４（ｂ）に示した例では、両リード板６１２，６２２の形状が点対称であるので、その点対称の中心点（線対称の中心線上にある）を回転中心として１８０度回転させれば図１４（ｃ）に示す平面形状を呈するようになる。この図１４（ｃ）に示す状態は電池パック部品５０が正常に治具に装着された場合の図１４（ａ）に示す状態と同一の状態である。従って、ポリスイッチ５１の表裏両面に取り付けられるリード板が前述同様に線対称ではないが点対称である外形の平明形状に構成されている場合には、図１４（ａ），（ｂ），（ｃ）に示すように、電池パック部品５０の表裏を反転させる（裏返す）ことなしに、平面上で単に１８０度回転させれば正常な状態に戻せることになり、作業員の人手による場合であっても、また機械的な操作による場合であっても、電池パック部品５０の表裏を反転させる（裏返しにする）場合に比して容易な作業であることは明らかである。
【００８１】
このように、電池パック部品５０のポリスイッチ５１に取り付けられるリード板は線対称ではないが点対称である外形の平面形状を有していればよく、上述した以外にも種種の形状に構成することが可能であることはいうまでもない。
【００８２】
更に、リード板そのものの形状には拘わらず、電池パック部品５０として構成された状態、具体的にはポリスイッチ５１の表裏両面にそれぞれリード板が取り付けられた状態の電池パック部品５０全体としての外形形状が線対称であり且つ点対称でない形状であれば上述同様の効果を得ることが可能である。たとえば図１（ａ）の模式図に示したクラッド板材１２１は線対称でもなく点対称でもない外形形状に構成されているが、このような形状のリード板を使用しても電池パック部品５０全体の外形形状としては図１２に示す電池パック部品５０と同様の外形形状を有するように構成するが可能である。
【００８３】
この場合、個々のリード板は同一形状であるが表裏逆に母材から打ち抜いたリード板を組み合わせてポリスイッチ５１の表裏両面に取り付けることにより、「ばり」が突出している面を相互に対向させた状態でリード板をポリスイッチ５１の表裏両面に取り付けることが可能である。更に、「ばり」を研磨加工等により削除するか、またはレーザカット工法等のような「ばり」が生じない工法により製造すれば、同一形状のリード板を表裏反転してポリスイッチ５１の表裏両面に取り付けるようにしてもよい。
【００８４】
また上述の実施の形態においては本発明の電池パック部品としてポリスイッチ５１の表裏両面にリード板が取り付けられている部品を例としたが、これに限るのものではなく、板状の本体の表裏両面にリード板が取り付けられている部品であれば本発明を適用することが可能である。
【図面の簡単な説明】
【００８５】
【図１】本発明に係る電池に使用されるクラッド板の構成の一例を示す模式図である。
【図２】図１に示すクラッド板を電池ケースに固着した状態を示す模式的外観斜視図である。
【図３】本発明に係る電池に使用されるクラッド板の構成の他の例を示す模式図である。
【図４】図３に示すクラッド板を電池ケースに固着した状態を示す模式的外観斜視図である。
【図５】本発明に係る電池に使用されるクラッド板の構成の更に他の例を示す模式図である。
【図６】図５に示すクラッド板を電池ケースに固着した状態を示す模式的外観斜視図である。
【図７】本発明に係る電池に使用されるクラッド板の構成の更に他の例を示す模式図である。
【図８】図７に示すクラッド板を電池ケースに固着した状態を示す模式的外観斜視図である。
【図９】本発明に係る電池に使用されるクラッド板の製造方法を説明するための模式図である。
【図１０】本発明のリード板の平面形状を示す模式図である
【図１１】図１０に示した形状のリード板を本体の表裏にそれぞれ取り付けた本発明の電池パック部品の外観を示す模式的斜視図である。
【図１２】図１１（ａ）に示す構成の本発明の電池パック部品の表裏判定の容易性及び表裏反転している場合に元の状態に戻すことが容易であることを説明するための模式図である。
【図１３】図３（ａ），図７（ａ）に示したクラッド板の形状と同一形に構成したリード板をポリスイッチの両面に取り付けた本発明の電池パック部品の構成例を示す模式的斜視図である。
【図１４】図１３（ｂ）に示す構成の本発明の電池パック部品の表裏判定の容易性及び表裏反転している場合に元の状態に戻すことが容易であることを説明するための模式図である。
【図１５】従来の電池パックの一般的な構成例を示す模式的分解斜視図である。
【図１６】図１５に示されているクラッド板の構成例を示す模式図である。
【図１７】従来のポリスイッチに複数のリード板が取り付けられた電池パック部品の構成例及び表裏判定が必要な理由を説明するための模式図である。
【図１８】リード板そのものに存在する従来の問題点を説明するための模式的側断面図である。
【符号の説明】
【００８６】
１０  電池
１１  電池ケース
１２（１２１〜１２４）  クラッド板
１２ａ（１２１ａ〜１２４ａ）  クラッド板の一方の層
１２ｂ（１２１ｂ〜１２４ｂ）クラッド板の他方の層
１２２ｃ〜１２４ｃ  切断線
５０  電池パック部品
５１  ポリスイッチ
６１（６１１，６１２）  リード板
６２（６２１，６２２）  リード板
【図１】
2005293919.tif 000003
【図２】
2005293919.tif 000004
【図３】
2005293919.tif 000005
【図４】
2005293919.tif 000006
【図５】
2005293919.tif 000007
【図６】
2005293919.tif 000008
【図７】
2005293919.tif 000009
【図８】
2005293919.tif 000010
【図９】
2005293919.tif 000011
【図１０】
2005293919.tif 000012
【図１１】
2005293919.tif 000013
【図１２】
2005293919.tif 000014
【図１３】
2005293919.tif 000015
【図１４】
2005293919.tif 000016
【図１５】
2005293919.tif 000017
【図１６】
2005293919.tif 000018
【図１７】
2005293919.tif 000019
【図１８】
2005293919.tif 000020